(57)【要約】      （修正有）【課題】腰、腹及び腿部用運動器具の提供。【解決手段】フレーム１とシート２を具え、該シートはロープ４、６で展開角度が制限され折り畳み可能で地面上に支持され、左右のフレームロッド１０、１１にハンドル１２が取り付けられ中央にサポートロッド１３が横設され、サポートロッドに回転体１５が枢設され、回転体に底部に車輪を具えた該シートが組み合わされ、該シートの前端より延伸されたリフトフレーム２２がロープでフレームに接続されてリフト角度が制限され、リフトフレーム前方に足部固定部２３が設けられ、両側にウエイト部２４が設けられ、使用者がシートに座り両手でハンドルを握持し、両足を足部固定部に掛け、両腿に力を入れるか或いはリラックスすることで、リフトフレームとシートに上下往復の回転動作を形成させ、腰、腹及び腿部を運動させられ、且つリフトフレーム両側のウエイト部の負荷の改変とシートの接続形態により、異なる使用者及び長時間の運動に対応できる。【選択図】図１
0003107051.tif 000002
【実用新案登録請求の範囲】
【請求項１】
地上に置かれ支持に供されるフレームと、
使用者が座って使用するシートと、
を具えた腰、腹及び腿部用運動器具において、
該フレームの左右にハンドルが取り付けられ、中央にサポートロッドが横設され、サポートロッドに回転体が枢設され、回転体に底部に車輪を具えた該シートが嵌挿結合され、該シートの前端より延伸された伸縮可能なリフトフレームがロープでフレームに接続されてリフト角度が制限され、リフトフレーム前方に足部固定部が設けられ、リフトフレーム両側にウエイト部が設けられ、ウエイト部に異なる重量のウエイトを組付け可能であることを特徴とする、腰、腹及び腿部用運動器具。
【請求項２】
請求項１記載の腰、腹及び腿部用運動器具において、フレームの回転体上にレールが形成され、且つシート底部の対応位置に車輪が設けられ、車輪がレールに組み合わされ、フレームに固定器が設けられ、該固定器が回転体に設けられた嵌着孔と相互に固定されるか或いは固定解除されることを特徴とする、腰、腹及び腿部用運動器具。
【請求項３】
請求項１記載の腰、腹及び腿部用運動器具において、フレームが相互に支持し折り畳みと展開可能なロッドフレーム体とされ、並びにピンで展開角度が固定されることを特徴とする、腰、腹及び腿部用運動器具。
【請求項４】
請求項１記載の腰、腹及び腿部用運動器具において、フレームが相互に支持し折り畳みと展開可能なロッドフレーム体とされ、ロッドフレーム体の間にロープが接続され、このロープによりフレームの展開角度が制限されたことを特徴とする、腰、腹及び腿部用運動器具。
【請求項５】
請求項１記載の腰、腹及び腿部用運動器具において、フレームのハンドルが調整変換可能な構造とされたことを特徴とする、腰、腹及び腿部用運動器具。
【考案の詳細な説明】
【技術分野】
【０００１】
本考案は一種の腰、腹及び腿部用運動器具に係り、運動器具の機能性と安全性に特に配慮して設計され、フレームとシートを具え、該シートはロープで展開角度が制限され折り畳み可能で地面上に支持され、左右のフレームロッドにハンドルが取り付けられ中央にサポートロッドが横設され、サポートロッドに回転体が枢設され、回転体に底部に車輪を具えた該シートが組み合わされ、該シートの前端より延伸されたリフトフレームがロープでフレームに接続されてリフト角度が制限され、リフトフレーム前方に足部固定部が設けられ、両側にウエイト部が設けられ、使用者がシートに座り両手でハンドルを握持し、両足を足部固定部に掛け、両腿に力を入れるか或いはリラックスすることで、リフトフレームとシートに上下往復の回転動作を形成させ、腰、腹及び腿部を運動させられ、且つリフトフレーム両側のウエイト部の負荷の改変とシートの接続形態により、異なる使用者及び長時間の運動に対応でき、安全で実用的な腰、腹及び腿部用運動器具に関する。
【背景技術】
【０００２】
健康がますます重視され生活水準が不断に向上する現代にあって，運動器材の使用はますます普及している。一般に手動の腹筋運動器は使用する力が大き過ぎ、急速で猛烈で且つ大角度の屈伸運動を行なうため肥満の人或いは年長者に対しては運動傷害を発生させやすい。更に手動の腹筋運動器は運動が単調すぎて使用者は次第に興味を失い、運動を続けにくい。また、現在の運動器具は体積が大きくなくとも価格は安くないが、通常家庭内の空間は有限であり、設置使用しにくく、機能が単一であれば、空間がさまざまな運動器具でいっぱいになり、また経済的な負担を増す。また家族のメンバーの年齢、体型はさまざまであるが、周知の腹筋運動器は、異なる訓練及び長時間使用の後に、いかに速やかに調整してそれに異なる適用性を具備させ、また長時間使用者に運動の興味及び持続力を維持させるかについての考慮がなされていない。
【考案の開示】
【考案が解決しようとする課題】
【０００３】
本考案の主要な目的は、一種の腰、腹及び腿部用運動器具を提供することにあり、それは、フレームとシートを具え、該シートはロープで展開角度が制限され折り畳み可能で地面上に支持され、左右のフレームロッドにハンドルが取り付けられ中央にサポートロッドが横設され、サポートロッドに回転体が枢設され、回転体に底部に車輪を具えた該シートが組み合わされ、該シートの前端より延伸されたリフトフレームがロープでフレームに接続されてリフト角度が制限され、リフトフレーム前方に足部固定部が設けられ、両側にウエイト部が設けられ、使用者がシートに座り両手でハンドルを握持し、両足を足部固定部に掛け、両腿に力を入れるか或いはリラックスすることで、リフトフレームとシートに上下往復の回転動作を形成させ、腰、腹及び腿部を運動させられる運動器具であるものとする。
【０００４】
本考案はまた一種の腰、腹及び腿部用運動器具を提供することを目的とし、それは、リフトフレーム両側のウエイト部の負荷を簡単に速やかに改変でき、シートの固定式或いは可動式の接続形態の改変により、異なる使用者及び長時間の運動に対応できる安全で実用的な腰、腹及び腿部運動器具に関する。
【課題を解決するための手段】
【０００５】
請求項１の考案は、地上に置かれ支持に供されるフレームと、
使用者が座って使用するシートと、
を具えた腰、腹及び腿部用運動器具において、
該フレームの左右にハンドルが取り付けられ、中央にサポートロッドが横設され、サポートロッドに回転体が枢設され、回転体に底部に車輪を具えた該シートが嵌挿結合され、該シートの前端より延伸された伸縮可能なリフトフレームがロープでフレームに接続されてリフト角度が制限され、リフトフレーム前方に足部固定部が設けられ、リフトフレーム両側にウエイト部が設けられ、ウエイト部に異なる重量のウエイトを組付け可能であることを特徴とする、腰、腹及び腿部用運動器具としている。
請求項２の考案は、請求項１記載の腰、腹及び腿部用運動器具において、フレームの回転体上にレールが形成され、且つシート底部の対応位置に車輪が設けられ、車輪がレールに組み合わされ、フレームに固定器が設けられ、該固定器が回転体に設けられた嵌着孔と相互に固定されるか或いは固定解除されることを特徴とする、腰、腹及び腿部用運動器具としている。
請求項３の考案は、請求項１記載の腰、腹及び腿部用運動器具において、フレームが相互に支持し折り畳みと展開可能なロッドフレーム体とされ、並びにピンで展開角度が固定されることを特徴とする、腰、腹及び腿部用運動器具としている。
請求項４の考案は、請求項１記載の腰、腹及び腿部用運動器具において、フレームが相互に支持し折り畳みと展開可能なロッドフレーム体とされ、ロッドフレーム体の間にロープが接続され、このロープによりフレームの展開角度が制限されたことを特徴とする、腰、腹及び腿部用運動器具としている。
請求項５の考案は、請求項１記載の腰、腹及び腿部用運動器具において、フレームのハンドルが調整変換可能な構造とされたことを特徴とする、腰、腹及び腿部用運動器具としている。
【考案の効果】
【０００６】
本考案は運動器具の機能性と安全性に特に配慮して設計され、フレームとシートを具え、該シートはロープで展開角度が制限され折り畳み可能で地面上に支持され、左右のフレームロッドにハンドルが取り付けられ中央にサポートロッドが横設され、サポートロッドに回転体が枢設され、回転体に底部に車輪を具えた該シートが組み合わされ、該シートの前端より延伸されたリフトフレームがロープでフレームに接続されてリフト角度が制限され、リフトフレーム前方に足部固定部が設けられ、両側にウエイト部が設けられ、使用者がシートに座り両手でハンドルを握持し、両足を足部固定部に掛け、両腿に力を入れるか或いはリラックスすることで、リフトフレームとシートに上下往復の回転動作を形成させ、腰、腹及び腿部を運動させられ、且つリフトフレーム両側のウエイト部の負荷の改変とシートの接続形態により、異なる使用者及び長時間の運動に対応でき、安全で実用的な腰、腹及び腿部用運動器具である。
【考案を実施するための最良の形態】
【０００７】
添付の各図面に示されるように、本考案はフレーム１及びシート２が組み合わされてなり、該フレーム１にはロープ４が接続され展開角度が制限されて折り畳み可能に地面上に支持される。図示される実施例では該フレーム１はフレームロッド１０、１１が相互に枢設されてなり、展開時に相互に支持されピン５で固定され使用に供される。このような螺設嵌め止め支持構造は極めて簡易で且つ種類が多いため説明は省略する。フレーム１の左右にはハンドル１２が取り付けられ、該ハンドル１２の形式に制限はなく、左右の枢軸１４で枢設され長さと角度を調整できる構造とされ、中央にサポートロッド１３が横設されている。サポートロッド１３上に左右の枢軸１４で回転可能な回転体１５が枢設され、回転体１５の上にレール１６が形成され、底部に車輪２０を具えて使用者が座るのに供されるシート２と相互に嵌合され、車輪２０がレール１６内に位置してレール１６に沿ってスライド可能とされる。またフレーム１に固定器２１が設けられ、回転体１５の嵌着孔１７と相互に固定されるか或いは固定解除され、別にシート２の前端に前向きに延伸されて伸縮可能なリフトフレーム２２が設けられ、該リフトフレーム２２もまたロープ６でフレーム１に接続されてリフト角度が制限され、またリフトフレーム２２の最前端に足部固定部２３が設けられるほか、両側にウエイト部２４が設けられ、ウエイト部２４に異なる重量のウエイトが組み合わされる。
【０００８】
実際の組立時には、先ず折り畳まれたフレーム１のフレームロッド１０、１１を展開し、並びにピン５で固定し、相互に支持させて地面上に支持し、更にシート２を回転体１５の上に嵌挿し、並びにピンで脱出防止すれば、簡単に組合せが完成する。収納運搬時はこれと逆の順序で行なえばよい。操作使用時には、先ず使用者の身長に合わせて、シート２のリフトフレーム２２及びハンドル１２の長さを調整し、並びに固定し、その後シート２の上に使用者が座るか仰臥し、両足をリフトフレーム２２の足部固定部２３に掛け、並びに両手でフレーム１のハンドル１２を握持し、両足に力を入れてリフトフレーム２２及びシート２を上向きに回転させ、施力停止時に、自然にリフトフレーム２２及びシート２を下向きに回転させ、且つロープ６によりリフト角度を制限し、ひっくり返るのを防止し、こうして上下往復回転により腰、腹及び腿部の運動の効果を達成する。また、リフトフレーム２２の両側のウエイト２４の重量を簡単快速に調整交換でき、またシート２の固定器２１を固定或いは固定解除して回転体１５の嵌着孔１７に嵌止するかそれより離脱させ、シート２の車輪２０を回転体１５の上のレール１６に沿ってスライドさせ、ロープ６の制限により、左右に一定角度内に回転を発生させるか或いは固定して不動の状態となすことができ、これにより操作使用方式の変化が可能で、異なる使用者或いは長時間の変化運動に適合し、広い適用性を具備するものとされる。
【０００９】
本考案の構造及び装置は未だ市場になくまた刊行物に記載されておらず、腰、腹及び腿部の運動効果を提供できるほか、変化調整可能で異なる使用者及び長時間の異なる程度の運動に使用でき、機能上、明らかに向上され、実用新案登録の要件を具備するものである。
【００１０】
なお、以上の実施例は本考案の範囲を限定するものではなく、本考案に基づきなしうる細部の修飾或いは改変は、いずれも本考案の請求範囲に属するものとする。
【図面の簡単な説明】
【００１１】
【図１】本考案の実施例の立体分解図である。
【図２】本考案の組立実施例の立体分解図である。
【図３】本考案の使用実施例の側面図である。
【図４】本考案のシートの実施例の側面図である。
【符号の説明】
【００１２】
１  フレーム        ２  シート        ４、６  ロープ      ５  ピン
１０、１１  フレームロッド            １２  ハンドル
１３  サポートロッド                  １４  枢軸
１５  回転体                          １６  レール
１７  嵌着孔                          ２０  車輪
２１  固定器                          ２２  リフトフレーム
２３  足部固定部                      ２４  ウエイト部
【図１】
0003107051.tif 000003
【図２】
0003107051.tif 000004
【図３】
0003107051.tif 000005
【図４】
0003107051.tif 000006